(57)【特許請求の範囲】
【請求項１】
液体容器に用いられる飲料用マウスピース（１）であって、弁装置（３）が設けられており、該弁装置（３）が、液体を通流させるための開口を備えた蓋（２）に配置されている形式のものにおいて、飲料用マウスピース（１）が弾性的であり、弁装置（３）が、少なくとも１つの弁開口（５）を備えたフレキシブルなダイヤフラム（４）と、少なくとも１つの弁開口（１５）を有する剛性的なダイヤフラム載着エレメント（７）とを有しており、該ダイヤフラム載着エレメント（７）を支持するウェブ（９）が設けられており、該ウェブ（９）が、ダイヤフラム載着エレメント（７）から飲料用マウスピース（１）の長手方向に間隔を置いて配置された、蓋（２）に固定するためのリング（１０）を有しており、弁装置（３）の閉鎖位置で、ダイヤフラム（４）が、ダイヤフラム載着エレメント（７）に載置しており、ダイヤフラム（４）の弁開口（５）が、ダイヤフラム載着エレメント（７）によって密にカバーされており、該ダイヤフラム載着エレメント（７）の弁開口（１５）が、ダイヤフラム（４）によって密にカバーされており、該ダイヤフラム（４）が、閉鎖位置で内方に湾曲させられており、外部から飲料用マウスピース（１）に圧力が加えられた場合にもしくはダイヤフラム（４）の、ダイヤフラム載着エレメント（７）と反対の側に負圧が加えられることによって、ダイヤフラム（４）が、スナップ式に反転させられた外方に湾曲させられた開放位置に位置しており、該開放位置でダイヤフラム（４）とダイヤフラム載着エレメント（７）との弁開口（５，１５）が解放されていることを特徴とする、液体容器に用いられる飲料用マウスピース。
【請求項２】
ダイヤフラム（４）が、その閉鎖位置および開放位置でその都度円錐形である、請求項１記載の飲料用マウスピース。
【請求項３】
ダイヤフラム載着エレメント（７）が、閉鎖位置におけるダイヤフラム（４）の、内方に湾曲させられた形に相応する弁座面（８）を有している、請求項１または２記載の飲料用マウスピース。
【請求項４】
飲料用マウスピース（１）が、係止体として形成されたダイヤフラム載着エレメント（７）を収容するための係止溝（６）を有している、請求項１から３までのいずれか１項記載の飲料用マウスピース。
【請求項５】
飲料用マウスピース（１）が、平面図で見て楕円形に形成されている、請求項１から４までのいずれか１項記載の飲料用マウスピース。
【請求項６】
ウェブ（９）が、ダイヤフラム載着エレメント（７）を固定するためにプレート状に形成されており、プレート状のウェブ（９）によって規定された平面が、平面図で見て飲料用マウスピース（１）の長軸の方向に延びている、請求項１から５までのいずれか１項記載の飲料用マウスピース。
【請求項７】
ダイヤフラム（４）が、１つの円線に沿って配置された複数の弁開口（５）を有している、請求項１から６までのいずれか１項記載の飲料用マウスピース。
【請求項８】
ダイヤフラム載着エレメント（７）が、中心の弁開口（１５）を有している、請求項１から７までのいずれか１項記載の飲料用マウスピース。
【請求項９】
マウスピース（１）が、飲料飲み口としてダイヤフラム（４）を越えて延びており、嵩上げされた飲料飲み口縁部（１７）が、ダイヤフラム防護部およびスペーサとして形成されている、請求項１から８までのいずれか１項記載の飲料用マウスピース。
【請求項１０】
飲料用マウスピース（１）が、熱可塑性のエラストマ（ＴＰＥ）から成っている、請求項１から９までのいずれか１項記載の飲料用マウスピース。
【請求項１１】
ダイヤフラム載着エレメント（７）が、ポリプロピレン（ＰＰ）から成っている、請求項１から１０までのいずれか１項記載の飲料用マウスピース。
【請求項１２】
軟質の当該飲料用マウスピース（１）が、硬質の蓋（２）と多成分射出成形法で一体に製作されている、請求項１から１１までのいずれか１項記載の飲料用マウスピース。
【請求項１３】
請求項１から１２までのいずれか１項記載の飲料用マウスピースであって、蓋（２）が、環状ダイヤフラムを有する、少なくとも１つの空気通流開口（１９）を備えた空気弁（１３）を有している形式のものにおいて、蓋内側に、該蓋内側に向かって開放した全周にわたって延びる溝（２４）を備えた収容エレメント（２１）が固定されており、該収容エレメント（２１）が、蓋（２）の空気通流開口（１９）に接続された少なくとも１つの空気流入開口（２０）を有しており、該空気流入開口（２０）が、溝（２４）に開口しており、該溝（２４）内にリング（１１）が挿入可能であるかもしくは挿入されており、溝（２４）の、環状ダイヤフラムとして形成された少なくとも１つの壁（２６）のプリロードによって、空気流入開口（２０）の両側の圧力が同じ場合にならびに蓋内側に正圧が加えられている場合に、空気流入開口（２０）がシールされており、蓋内側に負圧が加えられている場合に、空気流入開口（２０）が解放されていることを特徴とする、請求項１から１２までのいずれか１項記載の飲料用マウスピース。
【請求項１４】
リング（１１）の、該リング（１１）の挿入された位置で収容エレメント（２１）の空気流入開口（２０）に面した側の端領域（２８）が、横断面で見て円錐形に形成されている、請求項１３記載の飲料用マウスピース。
【請求項１５】
リング（１１）の、該リング（１１）の挿入された位置で収容エレメント（２１）の空気流入開口（２０）に面した側の端領域（２８）が、少なくとも１つの切欠き（２９）を有している、請求項１３または１４記載の飲料用マウスピース。
【請求項１６】
リング（１１）が、収容エレメント（２１）内にスナップ結合によって固定可能であるかもしくは固定されている、請求項１３から１５までのいずれか１項記載の飲料用マウスピース。
【請求項１７】
リング（１１）が、その外面に、収容エレメント（２１）の溝（２４）内にスナップ嵌めするための全周にわたって延びる隆起部（２５）を有している、請求項１６記載の飲料用マウスピース。
【請求項１８】
内側の溝壁（２６）が、環状ダイヤフラムとして形成されている、請求項１３から１７までのいずれか１項記載の飲料用マウスピース。
【請求項１９】
環状ダイヤフラム（２６）が、該環状ダイヤフラム（２６）のプリロードを規定するために少なくとも１つの肉薄箇所（２７）を有している、請求項１３から１８までのいずれか１項記載の飲料用マウスピース。
【請求項２０】
蓋開口（２′）内に延びる固定リング（１０）が、内方に延びる結合フランジ（１２）を介してリングに結合されている、請求項１３から１９までのいずれか１項記載の飲料用マウスピース。
【請求項２１】
結合フランジ（１２）に少なくとも１つの通気開口（３０）が設けられている、請求項２０記載の飲料用マウスピース。
【請求項２２】
結合フランジ（１２）の通気開口（３０）が、リング（１１）の挿入された位置で、環状ダイヤフラムとして形成された内側の溝壁（２６）に隣り合って配置されている、請求項２１記載の飲料用マウスピース。
【発明の詳細な説明】
【技術分野】
【０００１】
本発明は、液体容器の、主として弾性的な飲料用マウスピースのための弁装置であって、フレキシブルなダイヤフラムと、主として剛性的なダイヤフラム載着エレメントとが設けられており、ダイヤフラムが、少なくとも１つの弁開口を有しており、ダイヤフラム載着エレメントが、少なくとも１つの弁開口を有しており、当該弁装置の閉鎖位置で、ダイヤフラムが、ダイヤフラム載着エレメントに載置しており、ダイヤフラムの弁開口が、ダイヤフラム載着エレメントによって密にカバーされており、該ダイヤフラム載着エレメントの弁開口が、ダイヤフラムによって密にカバーされており、該ダイヤフラムが、閉鎖位置で内方に湾曲させられている形式のものに関する。
【０００２】
さらに、本発明は、液体を通流させるための開口を備えた蓋に配置された、弁装置を備えた、液体容器のための飲料用マウスピースに関する。
【０００３】
公知先行技術に基づき、すでに種々異なる弁装置もしくは特に子供のための飲料用マウスピースが公知である。これらの弁装置もしくは飲料用マウスピースでは、使用されない位置において、液体もしくは流動食の漏出が自動的に阻止されるが、しかし、使用者によって飲料用マウスピースが吸われるかもしくは圧力が飲料用マウスピースに加えられる限り、弁開口が自動的に解放される。
【０００４】
アメリカ合衆国特許第２５８４３５９号明細書に基づき、すでにボトル用乳首が公知である。この公知のボトル用乳首では、弁開口を備えた乳首が、その使用されない位置で弁座に載置しており、これによって、この位置で弁開口が閉鎖されている。外部から乳首に圧力が加えられる限り、乳首が弁座から持ち上り、したがって、弁開口が解放される。この場合、乳首が極端に弾性的な材料から製造されていて、したがって、口内に導入された使用位置で極めて容易に望ましくない形式で弁座に押し下げられ、したがって、使用の間の弁開口の確実な解放が保証されていないことが欠点である。
【０００５】
さらにまだ、比較可能な装置が、国際公開第００／４８４９１号パンフレットに基づき公知である。この国際公開第００／４８４９１号パンフレットにも同じく、弁開口を備えたフレキシブルな被覆層を有する飲料用マウスピースが開示されている。弁開口は、主として剛性的な弁座の上方に配置されている。この飲料用マウスピースも、負圧が吸い動作時に加えられることによって弁座から持ち上る。しかし、この場合、被覆層の弾性に基づき、この被覆層が舌によって飲み動作の間に弁座に押し戻され、したがって、弁開口が望ましくない形式で閉鎖される危険が相変わらずある。
【０００６】
さらに、国際公開第０２／２２０７３号パンフレットに基づき、子供のための液体容器が公知である。この公知の液体容器はフレキシブルなマウスピースを有している。このマウスピース内には、弁エレメントが内方に移動可能に収容されており、これによって、マウスピースに圧力が加えられた場合に液体通路が解放され、弁エレメントの弛緩された位置で液体通路が弁エレメントによって閉鎖される。しかし、この場合、移動可能に支承された内側の硬質のマウスピースに圧力が加えられ、このことが、時折、特にまだ訓練されていない子供による使用時に使用者の歯に対して有害となり得ることが欠点である。
【０００７】
アメリカ合衆国特許第６２２３９５６号明細書には、第１のダイヤフラムエレメントと第２のダイヤフラムエレメントとを備えた、容器からの液体摂取のための自動閉鎖式の弁が記載されている。この場合、上側の第１のダイヤフラムエレメントは閉鎖位置で内方に湾曲させられており、下側の第２のダイヤフラムエレメントは閉鎖位置で上方に湾曲させられており、これによって、上側のダイヤフラムエレメントに設けられた液体通流開口が下側のダイヤフラムエレメントによって閉鎖位置でカバーされる。弁の開放位置では、上側のダイヤフラムエレメントが下側のダイヤフラムエレメントから持ち上り、これによって、液体通流開口が解放されている。圧力補償のためには、下側のダイヤフラムエレメントが上側のダイヤフラムエレメントから下方に離れ、これによって、液体容器内への空気流入が可能となる。
【０００８】
アメリカ合衆国特許第１９７２３４４号明細書に基づき、チューブ容器の液体放出開口を閉鎖するための弁が公知である。この公知の弁では、フレキシブルなダイヤフラムが収容プレートに支承されており、これによって、閉鎖位置で、ダイヤフラムに設けられた弁開口がプレートによってカバーされる。開放位置では、ダイヤフラムがプレートから仕切り壁に向かって離れ、これによって、弁開口が解放されている。
【０００９】
ヨーロッパ特許出願公開第２９６００４号明細書にも同じく、弁装置を備えた、液体容器のための閉鎖体が開示されている。この場合、弁開口を備えたダイヤフラムが設けられている。このダイヤフラムは閉鎖位置で内方に湾曲させられていて、支持エレメントに載置している。開放位置では、ダイヤフラムが支持エレメントからしか、弁開口の解放のために持ち上げられない。
【００１０】
国際公開第９５／２６３０６号パンフレットに基づき、弁開口を備えたシールエレメントを有する、液体容器の閉鎖キャップが公知である。この場合、シールエレメントはその閉鎖位置で、内方に湾曲させられた形状を有しており、弁開口が、内側に位置する支持エレメントによって閉鎖される。開放位置では、シールエレメントが支持エレメントからしか持ち上げられない。
【００１１】
本発明の課題は、冒頭で述べた形式の、飲料用マウスピースのための弁装置を改良して、外部から飲料用マウスピースに圧力が加えられた場合にもしくは使用者の吸い動作によって、弁開口を解放する開放位置に確実に位置しており、したがって、中断なしの液体摂取を可能にするかもしくは非使用位置で確実に液体流出を阻止するような弁装置を提供することである。
【００１２】
さらに、本発明の課題は、前述した特性を備えた飲料用マウスピースを提供することである。
【００１３】
このことは、冒頭で述べた形式の弁装置において、本発明によれば、外部から飲料用マウスピースに圧力が加えられた場合にもしくはダイヤフラムの、ダイヤフラム載着エレメントと反対の側に負圧が加えられることによって、ダイヤフラムが、スナップ式に反転させられた外方に湾曲させられた開放位置に位置しており、該開放位置でダイヤフラムとダイヤフラム載着エレメントとの弁開口が解放されていることによって得られる。
【００１４】
閉鎖位置でのダイヤフラムの内方湾曲もしくは負圧が加えられた場合のかつ／または外部から飲料用マウスピースに圧力が加えられた場合の外方に湾曲させられた開放位置へのダイヤフラムのスナップ式の反転によって、このダイヤフラムはその開放位置で吸込み動作の間に比較的安定した位置に位置している。この位置では、ダイヤフラムの弁開口とダイヤフラム載着エレメントの弁開口とが確実に解放されており、これによって、ダイヤフラムへの望ましくない僅かな圧力付与によっても即座にダイヤフラムの弁開口が再び閉鎖されない。したがって、特に簡単に操作したい、特に確実な液体摂取を可能にする弁装置が得られる。この弁装置は、弾性的な飲料用マウスピースに関してまだ訓練されていない子供によっても問題なく使用することができる。
【００１５】
ダイヤフラムが、その閉鎖位置および開放位置でその都度ほぼ円錐形であると、ダイヤフラムの比較的安定した位置が得られる。この場合、飲料用マウスピースに圧力を加えることと、負圧を加えることとによって、簡単に開放位置への円錐形のダイヤフラムのスナップ式の反転が得られる。
【００１６】
弁装置の閉鎖位置での、ダイヤフラムに設けられた弁開口と、ダイヤフラム載着エレメントに設けられた弁開口との間のシールを確実に得るためには、ダイヤフラム載着エレメントが、閉鎖位置におけるダイヤフラムの、主として内方に湾曲させられた形に相応する弁座面を有していると有利である。
【００１７】
飲料用マウスピースが、係止体として形成されたダイヤフラム載着エレメントを収容するための係止溝を有していると、飲料用マウスピース内でのダイヤフラム載着エレメントの位置が確実に規定されており、場合によって閉鎖位置での漏れを生ぜしめる恐れのある、ダイヤフラムに対して相対的な望ましくないずれを回避することができる。
【００１８】
さらに、ダイヤフラム載着エレメントを飲料用マウスピース内に位置決めするために、ダイヤフラム載着エレメントが、ウェブを介して固定リングに結合されていると有利である。
【００１９】
飲料用マウスピースの使用時の高い使用者快適性のために、さらに、使用時の口内での飲料用マウスピースの特定の方向付けを得るために、飲料用マウスピースが、平面図で見てほぼ楕円形に形成されていると有利である。しかし、当然ながら、飲料用マウスピースはあらゆる別の任意の輪郭形状を有していてもよい。この場合、特に使用時の飲料用マウスピースの特定の方向付けを生ぜしめる形状が有利である。
【００２０】
ウェブが、ダイヤフラム載着エレメントを固定するためにプレート状に形成されており、プレート状のウェブによって規定された平面が、平面図で見て飲料用マウスピースの長軸の方向に延びていると、軟質の飲料用マウスピースの咬合せが可能となる。これによって、やはり飲み動作が容易になる。さらに、使用者の歯は、転倒の際に軟質の飲料用マウスピースにしか接触しない。これによって、怪我を回避することができる。さらに、プレート状のウェブは、飲料用マウスピースの短軸の方向に、そのプレート状の構成によって同じくある程度の柔軟性を有している。これによって、特に転倒の際の怪我のリスクが一層低減されている。
【００２１】
開放位置でのダイヤフラムを通る液体もしくは流動食の通流を確実に保証するためには、ダイヤフラムが、１つの円線に沿って配置された複数の弁開口を有していると有利である。これに関連して、さらに、ダイヤフラム載着エレメントが、ほぼ中心の弁開口を有していると有利である。
【００２２】
ダイヤフラムが望ましくない形式で損傷されることを阻止するかもしくは使用者の舌と、スナップ式に反転させられた開放位置におけるダイヤフラムとの接触を回避するためには、マウスピースが、飲料飲み口としてダイヤフラムを越えて延びており、嵩上げされた飲料飲み口縁部が、ダイヤフラム防護部およびスペーサとして形成されていると有利である。
【００２３】
圧力が加えられた状態で長手延び方向に対して垂直に撓む比較的軟質の所望の飲料用マウスピースを得るためには、飲料用マウスピースが、弾性的な材料、特に熱可塑性のエラストマ（ＴＰＥ）から成っていると有利である。さらに、ダイヤフラム載着エレメントが、ポリプロピレン（ＰＰ）から成っていると有利である。なぜならば、したがって、ダイヤフラムの、内方に湾曲させられた閉鎖位置での弁装置の閉鎖を確実に得ることができるからである。
【００２４】
冒頭での述べた形式の飲料用マウスピースは、有利には熱可塑性のエラストマ（ＴＰＥ）から成る軟質の当該飲料用マウスピースが、有利にはポリプロピレン（ＰＰ）から成る硬質の蓋と多成分射出成形法で一体に製作されていると、特に簡単に製作することができる。しかし、当然ながら、ダイヤフラムと飲料用マウスピースとは、ダイヤフラムの簡単な交換を可能にするために、複数分割式に形成されていてもよい。
【００２５】
環状ダイヤフラムを有する、少なくとも１つの空気通流開口を備えた空気弁を有する蓋が飲料用マウスピースと共に載着された液体容器の内部への確実な空気供給のためには、蓋内側に、該蓋内側に向かって開放した全周にわたって延びる溝を備えた収容エレメントが固定されており、該収容エレメントが、蓋の空気通流開口に接続された少なくとも１つの空気流入開口を有しており、該空気流入開口が、溝に開口しており、該溝内にリングが挿入可能であるかもしくは挿入されており、環状ダイヤフラムとして形成された少なくとも１つの溝壁のプリロードによって、空気流入開口の両側の圧力が同じ場合にならびに蓋内側に正圧が加えられている場合に、空気流入開口がシールされており、蓋内側に負圧が加えられている場合に、空気流入開口が解放されていると有利である。これによって、構造上簡単な空気弁が提供される。さらに、この空気弁によって、環状ダイヤフラムのプリロードに基づき完全な圧力補償が行われず、これによって、蓋が載着された液体容器内にある程度の残真空が残される。この残真空もまた、使用されない状態での、飲料弁として設けられた弁装置と空気弁との確実な密な閉鎖を生ぜしめる。
【００２６】
使用されない状態でリングに接触する環状ダイヤフラムの良好なシール作用のためには、リングの、該リングの挿入された位置で収容エレメントの空気流入開口に面した側の端領域が、横断面で見てほぼ円錐形に形成されていると有利である。
【００２７】
リングの、該リングの挿入された位置で収容エレメントの空気流入開口に面した側の端領域が、少なくとも１つの切欠きを有しており、該切欠きが、リングの挿入された位置で空気通流開口もしくは空気流入開口に整合して配置されていると、有利には、妨害されない空気流入が確実に保証されている。
【００２８】
リングが、収容エレメント内にスナップ結合によって固定可能であるかもしくは固定されていると、構造上特に簡単な廉価に形成したい、リングとの収容エレメントとの間の結合部が得られる。
【００２９】
内側の溝壁を環状ダイヤフラムとして形成することができるようにするためには、リングが、その外面に、収容エレメントの溝内にスナップ嵌めするための全周にわたって延びる隆起部を有していると有利である。このことは、特に有利である。なぜならば、これによって、内側の溝壁を環状ダイヤフラムとして形成することができ、したがって、空気弁を通って流入する空気が直接液体容器の内部に案内されるからである。
【００３０】
環状ダイヤフラムが、該環状ダイヤフラムのプリロードを規定するために少なくとも１つの肉薄箇所を有していると、この肉薄箇所のサイズ、数ならびに肉厚によって、使用されない位置で液体容器内に残された残真空を簡単に規定することができる。
【００３１】
弁装置のダイヤフラム載着エレメントのウェブのための固定リングを空気弁の形成と同時に固定するためには、蓋開口の方向に延びる固定リングが、内方に延びる結合フランジを介してリングに結合されていると有利である。
【００３２】
結合フランジに少なくとも１つの通気開口が設けられていると、蓋に設けられた空気通流開口と、収容エレメントに設けられた空気流入開口とを通って流入される空気が妨害されずに、蓋が載着された液体容器の内部に流入することができる。
【００３３】
空気流入を可能な限り妨害されずに許容するためには、結合フランジの通気開口が、リングの挿入された位置で、環状ダイヤフラムとして形成された内側の溝壁に隣り合って配置されていると有利である。
【００３４】
以下に、本発明の有利な実施例を図面につき詳しく説明する。ただし、この有利な実施例に本発明は限定されるものではない。
【００３５】
図１には、熱可塑性のエラストマから成る軟質の飲料用マウスピース１が示してある。この飲料用マウスピース１は、硬質のプラスチック材料、たとえばポリプロピレンから成る蓋２に被着されている。この場合、たとえば中心の蓋開口２′に続く飲料用マウスピース１と、蓋２とは、二成分射出成形法によって一体に製作されている。飲料用マウスピース１の上側の端区分１′には、飲料弁として、フレキシブルなダイヤフラム４を備えた弁装置３（図２および図３参照）が設けられている。ダイヤフラム４は飲料用マウスピース１と一体に形成されている。しかし、当然ながら、ダイヤフラム４と飲料用マウスピース１とは、ダイヤフラムの簡単な交換を可能にするために、複数分割式に形成されていてもよい。
【００３６】
ダイヤフラム４は、図１に示した弛緩された閉鎖位置で、内方に湾曲させられた円錐形状を有している。この場合、錐面には、１つの円線に沿って配置された４つの弁開口５（図４および図８参照）が設けられている。ダイヤフラム４に続いて、飲料用マウスピース１の内部には、ダイヤフラム載着エレメント７を収容するための係止溝６が設けられている。ダイヤフラム載着エレメント７はほぼプレート状に形成されていて、ダイヤフラム４の円錐形状に相応して内方に湾曲させられた上側の弁座面８を備えている。
【００３７】
ダイヤフラム載着エレメント７を蓋２に固定するためには、ダイヤフラム載着エレメント７がプレート状のウェブ９を介して固定リング１０に結合されている。
【００３８】
ダイヤフラム載着エレメント７を飲料用マウスピース１の係止溝６内に収容した位置で示した、特に図２および図３から明らかであるように、結合フランジ１２を介してプレート状のウェブ９の固定リング１０に結合されたリング１１の挿入によって、空気弁１３の形成と、飲料弁３を形成するための飲料用マウスピース１内でのダイヤフラム載着エレメント７の固定とが同時に行われる。
【００３９】
ダイヤフラム４とダイヤフラム載着エレメント７とを備えた、飲料弁として形成された弁装置３の機能形式は、特に図４および図５に示した詳細図から明らかである。この場合、ダイヤフラム４が、図４には、内方に湾曲させられた閉鎖位置で示してあり、図５には、外方に湾曲させられた開放位置で示してある。
【００４０】
図４において明らかであるように、ダイヤフラム４の弁開口５はダイヤフラム４の閉鎖位置でダイヤフラム載着エレメント７の完全面状の弁座面８に載置しており、載着エレメント７の中心の弁開口１５が円錐形のダイヤフラム４の端面によってカバーされ、これによって、液体通流がダイヤフラム４の閉鎖位置では阻止される。
【００４１】
さらに、図４では、弾性的な飲料用マウスピース１の係止溝６が詳細に明らかである。飲料用マウスピース１内には、ダイヤフラム載着エレメント７がスナップ結合によって収容される。係止溝６には、直接ダイヤフラム４が続いている。この場合、ダイヤフラム載着エレメント７の環状の係止舌片１６によって、ダイヤフラム４を、内方に湾曲させられた閉鎖位置から、外方に湾曲させられた図５に示した開放位置にスナップ式に反転させるための一種の傾倒面が形成される。
【００４２】
さらに、図４においてまだ明らかであるように、飲料用マウスピース１は、ダイヤフラム４を越えて延びる嵩上げされた縁部１７を有している。この縁部１７はダイヤフラム防護部として働き、同時にスペーサとしても形成されており、これによって、ダイヤフラム４が、外方に湾曲させられた開放位置でも縁部１７を越えて延びていない（図５参照）。したがって、困難にしかダイヤフラム４への接近を達成することができず、これによって、ダイヤフラム４の望ましくないスナップ式の戻りが一層困難となる。
【００４３】
図５には、ダイヤフラム４が、飲料用マウスピース１の長手方向延びに対して垂直に外部から矢印方向１８で加えられた、飲み時のもしくは吸い時の唇の圧着圧によって自動的に生ぜしめられる押圧力下でもしくは飲み動作時にもしくは吸い動作時に飲料用マウスピース１に加えられた負圧下で示してある。この場合、ダイヤフラム４が、外方に湾曲させられた開放位置にスナップ式に反転している。この開放位置では、ダイヤフラム載着エレメント７に設けられた弁開口１５と、円錐形のダイヤフラム４の、１つの円線に沿ってダイヤフラム４の錐面に分配された弁開口５とが解放されており、したがって、液体もしくは流動食を飲料用マウスピース１を介して摂取することができる。負圧がダイヤフラム４の外側にもはや加えられなくなるかもしくは矢印方向１８に作用する力が、飲料用マウスピース１を唇から離した場合にもはや作用しなくなるやいなや、ダイヤフラムが自動的に再び、図４に示した閉鎖位置にスナップ式に反転し、これによって、液体容器から簡単に液体もしくは流動食、たとえば乳性栄養食を摂取することができると同時に非使用位置での良シール性の液滴なしの弁装置が付与されている。
【００４４】
図６および図７には、図２および図３でも明らかな空気弁１３が詳細に示してある。この空気弁１３は、蓋２に設けられた空気通流開口１９と、この空気通流開口１９に接続された、収容エレメント２１（図１参照）に設けられた空気流入開口２０とを有している。収容エレメント２１はフランジ２２を介して蓋２と二成分射出成形法で一体に製作されている。さらに、フランジ２２はシールリング２３（図１参照）によって取り囲まれる。このシールリング２３は、エプロン状の蓋２を液体容器のボトルネックで密に閉鎖するために設けられている。この場合、蓋２は、螺合またはスナップ結合によってボトルネックに固定される。
【００４５】
環状の収容エレメント２１は溝２４を有している（図１参照）。この溝２４内にはリング１１が挿入されている。このリング１１はその外周面に隆起部２５を有している。この隆起部２５によって、リング１１を収容エレメント２１の溝２４内にスナップ結合によって固定することができる。
【００４６】
図６に示した空気弁１３の閉鎖位置では、収容エレメント２１の、環状ダイヤフラムとして形成された内側の溝壁２６がその予荷重もしくはプリロードによって、溝２４内に挿入されたリング１１に密に接触している。この場合、内側の溝壁２６は、そのプリロードの規定ひいては結果的に、ドリンクボトルの非使用位置で付与された残真空の規定のために肉薄箇所２７（図１参照）を有している。
【００４７】
しかし、飲料用マウスピース１に使用者の飲み動作もしくは吸い動作によって負圧が加えられる限り、環状ダイヤフラム２６が、リング１１の、シール円錐部２８として形成された端領域から僅かに離れ、これによって、空気が外部から、蓋２に設けられた空気通流開口１９と、収容エレメント２１に設けられた空気流入開口２０と、シール円錐部２８に設けられた、空気通流開口１９もしくは空気流入開口２０に整合して配置された切欠き２９とを通って流入することができる（図７参照）。
【００４８】
さらに、ダイヤフラム載着エレメント７（図１参照）を固定するためのウェブ９の固定リング１０にリング１１を結合する結合フランジ１２には、通気開口３０が設けられている。この通気開口３０は、リング１１の挿入された位置で空気通流開口１９もしくは空気流入開口２０に整合して配置されており、これによって、液体容器内への矢印３１の方向での妨害されない空気流入が可能となる。
【００４９】
溝２４内へのリング１１の挿入によって、同時にダイヤフラム載着エレメント７が飲料用マウスピース１内に取り付けられるので、蓋２の使用時に空気弁１３と飲料弁３との組合せによって、十分に液滴なしの液体容器を得ることができる。この液体容器は、特に乳性栄養食を投与するための栄養付与補助手段として適している。
【００５０】
図８および図９において特に明らかであるように、飲料用マウスピース１は平面図で見て楕円形に形成されており、これによって、飲料用マウスピース１を使用時に特定の方向付けでのみ、つまり、楕円形の飲料用マウスピース１の長軸を横方向に方向付けてのみ口内に収容することができる。
【００５１】
特に図９から知ることができるように、口内に収容された位置では、ダイヤフラム載着エレメント７のウェブ９が歯の間で平らに方向付けられており、これによって、矢印方向１８での軟質の飲料用マウスピース１の咬合せもしくは圧縮が可能となる。これによって、図５に示した開放位置へのダイヤフラム４のスナップ式の反転が助成される。さらに、特に子供の歯が、転倒の際でも軟質の飲料用マウスピース１によって十分に保護されている。なぜならば、著しく剛性的なウェブ９との直接的な接触が生ぜしめられないからである。さらに、ウェブ９を含めた全飲料用マウスピース１はその短軸の方向でもフレキシブルであり、これによって、望ましくない衝撃的な運動時の撓みが可能となる。さらに、ウェブ９と、固定リング１０と、リング１１とを含めたより剛性的なダイヤフラム載着エレメント７は転倒時に内方にも押圧され得る。なぜならば、ダイヤフラム載着エレメント７が、飲料用マウスピース１の係止溝６内でのスナップ結合と、収容エレメント２１の溝２４内でのスナップ結合とによってしか挿入されていないからであり、これによって、転倒時の怪我のリスクが一層低減されている。
【図面の簡単な説明】
【００５２】
【図１】飲料弁と空気弁とを備えた飲料用マウスピースを、互いに引き離された位置で示す図である。
【図２】組み合わされた位置における、図１に示した飲料用マウスピースの横断面図である。
【図３】図２に示した飲料用マウスピースの斜視図である。
【図４】閉鎖位置におけるダイヤフラムを備えた飲料用マウスピースの端区分の詳細な断面図である。
【図５】開放位置におけるダイヤフラムを備えた飲料用マウスピースの端区分の詳細な断面図である。
【図６】閉鎖位置における環状ダイヤフラムを備えた空気弁の詳細な断面図である。
【図７】開放位置における環状ダイヤフラムを備えた空気弁の詳細な断面図である。
【図８】横断面で見て楕円形の飲料用マウスピースを備えた蓋の平面図である。
【図９】図２に示したＩＸ−ＩＸ線に沿った断面を備えた、図８に示した蓋の平面図である。
【符号の説明】
【００５３】
１  飲料用マウスピース、  １′  端区分、  ２  蓋、  ２′  蓋開口、  ３  弁装置、  ４  ダイヤフラム、  ５  弁開口、  ６  係止溝、  ７  ダイヤフラム載着エレメント、  ８  弁座面、  ９  ウェブ、  １０  固定リング、  １１  リング、  １２  結合フランジ、  １３  空気弁、  １５  弁開口、  １６  係止舌片、  １７  縁部、  １８  矢印方向、  １９  空気通流開口、  ２０  空気流入開口、  ２１  収容エレメント、  ２２  フランジ、  ２３  シールリング、  ２４  溝、  ２５  隆起部、  ２６  溝壁、  ２７  肉薄箇所、  ２８  シール円錐部、  ２９  切欠き、  ３０  通気開口、  ３１  矢印
【図１】
0004510642.tif 000002
【図２】
0004510642.tif 000003
【図３】
0004510642.tif 000004
【図４】
0004510642.tif 000005
【図５】
0004510642.tif 000006
【図６】
0004510642.tif 000007
【図７】
0004510642.tif 000008
【図８】
0004510642.tif 000009
【図９】
0004510642.tif 000010